【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
セルの帯域幅の狭帯域部分を使用して同期信号を受信することと、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出することと、
前記周波数オフセットまたは前記タイミングオフセットのうちの前記少なくとも１つを適用することに少なくとも部分的に基づいて、前記セルの識別情報を決定することと
を備えるワイヤレス通信の方法。
【請求項２】
前記検出することが、
第１のサンプリングレートにおける前記同期信号に対するスライディング自己相関を使用して、第１のタイミングオフセット推定値または第１の周波数オフセット推定値を決定することと、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定することと、
前記第２のタイミングオフセット推定値または前記第２の周波数オフセット推定値を適用することに少なくとも部分的に基づいて、第２のサンプリングレートにおける前記同期信号に対する第２の相互相関を使用して、前記周波数オフセットまたは前記タイミングオフセットのうちの前記少なくとも１つを検出することと
を備える、請求項１に記載の方法。
【請求項３】
前記スライディング自己相関が、複数のラグのためのスライディング自己相関の組合せを備える、請求項２に記載の方法。
【請求項４】
メトリックに少なくとも部分的に基づいて、複数の組合せ関数から、複数のラグのためのスライディング自己相関の前記組合せのための関数を選択すること
をさらに備える、請求項３に記載の方法。
【請求項５】
前記スライディング自己相関、前記第１の相互相関、または前記第２の相互相関のうちの少なくとも１つが、前記同期信号の相関パラメータの更新に少なくとも部分的に基づく、請求項２に記載の方法。
【請求項６】
前記カバーコードに少なくとも部分的に基づいて、複数のシーケンス項の第１の値を決定することと、ここにおいて、前記複数のシーケンス項の各シーケンス項が、前記複数のシンボル期間のうちのシンボル期間の間に受信された前記同期信号の一部分に対応する、
前記第１の値と基準シーケンス項とに少なくとも部分的に基づいて、第２の値を決定することと、ここにおいて、前記第１の相互相関または前記第２の相互相関が、前記第２の値に少なくとも部分的に基づく、
をさらに備える、請求項２に記載の方法。
【請求項７】
前記スライディング自己相関の累積が、前記同期信号の少なくとも１つの前に受信されたバージョンの相関パラメータと、前記同期信号の相関パラメータとに少なくとも部分的に基づく、請求項２に記載の方法。
【請求項８】
２次同期信号（ＳＳＳ）に少なくとも部分的に基づいて、前記セルの前記識別情報を決定することをさらに備え、ここにおいて、前記ＳＳＳが、前記タイミングオフセットまたは前記周波数オフセットのうちの前記少なくとも１つの前記適用することに少なくとも部分的に基づいて、受信された信号中で識別される、
請求項１に記載の方法。
【請求項９】
前記セルの前記識別情報を前記決定することが、複信モードまたはサイクリックプレフィックス（ＣＰ）長を決定することをさらに備える、請求項１に記載の方法。
【請求項１０】
前記基本シーケンスが定振幅ゼロ自己相関（ＣＡＺＡＣ）シーケンスを備える、請求項１に記載の方法。
【請求項１１】
前記カバーコードがバイナリカバーコードを備える、請求項１に記載の方法。
【請求項１２】
前記バイナリカバーコードがアンチポーダルバイナリカバーコードを備える、請求項１１に記載の方法。
【請求項１３】
前記カバーコードがポリフェーズシーケンスを備える、請求項１に記載の方法。
【請求項１４】
基本シーケンスの複数のバージョンに適用されるカバーコードを含む同期信号を生成することと、
複数のシンボル期間上でセルの帯域幅の狭帯域部分を使用して前記同期信号を送信することと、ここにおいて、前記基本シーケンスの前記複数のバージョンの各バージョンが、前記複数のシンボル期間のうちのシンボル期間を使用して送信される、
を備えるワイヤレス通信の方法。
【請求項１５】
前記セルの前記帯域幅の中心部分を使用して第２の同期信号を送信することをさらに備え、ここにおいて、前記帯域幅の前記中心部分が、前記帯域幅の前記狭帯域部分よりも大きい、
請求項１４に記載の方法。
【請求項１６】
前記セルの識別情報の指示、複信モード、またはサイクリックプレフィックス（ＣＰ）長のうちの少なくとも１つを備える２次同期信号（ＳＳＳ）を送信すること
をさらに備える、請求項１４に記載の方法。
【請求項１７】
前記カバーコードがバイナリカバーコードを備える、請求項１４に記載の方法。
【請求項１８】
前記バイナリカバーコードがアンチポーダルバイナリカバーコードを備える、請求項１７に記載の方法。
【請求項１９】
前記カバーコードがポリフェーズシーケンスを備える、請求項１４に記載の方法。
【請求項２０】
前記基本シーケンスが定振幅ゼロ自己相関（ＣＡＺＡＣ）シーケンスを備える、請求項１４に記載の方法。
【請求項２１】
複数の物理リソースブロック（ＰＲＢ）上で前記同期信号を送信すること
をさらに備える、請求項１４に記載の方法。
【請求項２２】
複数の同期信号を生成することと、ここにおいて、各同期信号が、前記基本シーケンスの複数のバージョンに適用される複数のカバーコードのうちの１つを含む、
複数の物理リソースブロック（ＰＲＢ）上で前記複数の同期信号を送信することと
をさらに備える、請求項１４に記載の方法。
【請求項２３】
ワイヤレス通信のための装置であって、
プロセッサと、
前記プロセッサと電子通信しているメモリと、
前記メモリに記憶された命令と、を備え、前記命令が、前記プロセッサによって実行されると、前記装置に、
セルの帯域幅の狭帯域部分を使用して同期信号を受信することと、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出することと、
前記周波数オフセットまたは前記タイミングオフセットのうちの前記少なくとも１つを適用することに少なくとも部分的に基づいて、前記セルの識別情報を決定することと
を行わせるように動作可能である、装置。
【請求項２４】
前記命令が、前記装置に、
第１のサンプリングレートにおける前記同期信号に対するスライディング自己相関を使用して、第１のタイミングオフセット推定値または第１の周波数オフセット推定値を決定することと、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定することと、
前記第２のタイミングオフセット推定値または前記第２の周波数オフセット推定値を適用することに少なくとも部分的に基づいて、第２のサンプリングレートにおける前記同期信号に対する第２の相互相関を使用して、前記周波数オフセットまたは前記タイミングオフセットのうちの前記少なくとも１つを検出することと、
を行わせるように動作可能である、請求項２３に記載の装置。
【請求項２５】
前記スライディング自己相関、前記第１の相互相関、または前記第２の相互相関のうちの少なくとも１つが、前記同期信号の相関パラメータの再帰的更新に少なくとも部分的に基づく、請求項２４に記載の装置。
【請求項２６】
前記命令が、前記装置に、
前記カバーコードに少なくとも部分的に基づいて、複数のシーケンス項の第１の値を決定することと、ここにおいて、前記複数のシーケンス項の各シーケンス項が、前記複数のシンボル期間のうちのシンボル期間の間に受信された前記同期信号の一部分に対応する、
前記第１の値と基準シーケンス項とに少なくとも部分的に基づいて、第２の値を決定することと、ここにおいて、前記第１の相互相関または前記第２の相互相関が、前記第２の値に少なくとも部分的に基づく、
を行わせるように動作可能である、請求項２４に記載の装置。
【請求項２７】
前記命令が、前記装置に、
２次同期信号（ＳＳＳ）に少なくとも部分的に基づいて、前記セルの前記識別情報を決定すること、ここにおいて、前記ＳＳＳが、前記タイミングオフセットまたは前記周波数オフセットのうちの前記少なくとも１つの前記適用することに少なくとも部分的に基づいて、受信された信号中で識別される、
を行わせるように動作可能である、請求項２３に記載の装置。
【請求項２８】
ワイヤレス通信のための装置であって、
プロセッサと、
前記プロセッサと電子通信しているメモリと、
前記メモリに記憶された命令と、を備え、前記命令が、前記プロセッサによって実行されると、前記装置に、
基本シーケンスの複数のバージョンに適用されるカバーコードを含む同期信号を生成することと、
複数のシンボル期間上でセルの帯域幅の狭帯域部分を使用して前記同期信号を送信することと、ここにおいて、前記基本シーケンスの前記複数のバージョンの各バージョンが、前記複数のシンボル期間のうちのシンボル期間を使用して送信される、
を行わせるように動作可能である、装置。
【請求項２９】
前記命令が、前記装置に、
前記セルの前記帯域幅の中心部分を使用して追加の同期信号を送信することを行わせるように動作可能であり、ここにおいて、前記帯域幅の前記中心部分が、前記帯域幅の前記狭帯域部分よりも大きい、請求項２８に記載の装置。
【請求項３０】
前記命令が、前記装置に、
セル識別情報の指示を備える２次同期信号（ＳＳＳ）を送信することを行わせるように動作可能である、請求項２８に記載の装置。
【手続補正２】
【補正対象書類名】明細書
【補正対象項目名】０１７８
【補正方法】変更
【補正の内容】
【０１７８】
[0160]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
以下に本願の出願当初の特許請求の範囲に記載された発明を付記する。
[Ｃ１]  セルの帯域幅の狭帯域部分を使用して同期信号を受信することと、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出することと、
前記周波数オフセットまたは前記タイミングオフセットのうちの前記少なくとも１つを適用することに少なくとも部分的に基づいて、前記セルの識別情報を決定することと
を備えるワイヤレス通信の方法。
[Ｃ２]  前記検出することが、
第１のサンプリングレートにおける前記同期信号に対するスライディング自己相関を使用して、第１のタイミングオフセット推定値または第１の周波数オフセット推定値を決定することと、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定することと、
前記第２のタイミングオフセット推定値または前記第２の周波数オフセット推定値を適用することに少なくとも部分的に基づいて、第２のサンプリングレートにおける前記同期信号に対する第２の相互相関を使用して、前記周波数オフセットまたは前記タイミングオフセットのうちの前記少なくとも１つを検出することと
を備える、Ｃ１に記載の方法。
[Ｃ３]  前記スライディング自己相関が、複数のラグのためのスライディング自己相関の組合せを備える、Ｃ２に記載の方法。
[Ｃ４]  メトリックに少なくとも部分的に基づいて、複数の組合せ関数から、複数のラグのためのスライディング自己相関の前記組合せのための関数を選択すること
をさらに備える、Ｃ３に記載の方法。
[Ｃ５]  前記スライディング自己相関、前記第１の相互相関、または前記第２の相互相関のうちの少なくとも１つが、前記同期信号の相関パラメータの更新に少なくとも部分的に基づく、Ｃ２に記載の方法。
[Ｃ６]  前記カバーコードに少なくとも部分的に基づいて、複数のシーケンス項の第１の値を決定することと、ここにおいて、前記複数のシーケンス項の各シーケンス項が、前記複数のシンボル期間のうちのシンボル期間の間に受信された前記同期信号の一部分に対応する、  前記第１の値と基準シーケンス項とに少なくとも部分的に基づいて、第２の値を決定することと、ここにおいて、前記第１の相互相関または前記第２の相互相関が、前記第２の値に少なくとも部分的に基づく、
をさらに備える、Ｃ２に記載の方法。
[Ｃ７]  前記スライディング自己相関の累積が、前記同期信号の少なくとも１つの前に受信されたバージョンの相関パラメータと、前記同期信号の相関パラメータとに少なくとも部分的に基づく、Ｃ２に記載の方法。
[Ｃ８]  ２次同期信号（ＳＳＳ）に少なくとも部分的に基づいて、前記セルの前記識別情報を決定することをさらに備え、ここにおいて、前記ＳＳＳが、前記タイミングオフセットまたは前記周波数オフセットのうちの前記少なくとも１つの前記適用することに少なくとも部分的に基づいて、受信された信号中で識別される、
Ｃ１に記載の方法。
[Ｃ９]  前記セルの前記識別情報を前記決定することが、複信モードまたはサイクリックプレフィックス（ＣＰ）長を決定することをさらに備える、Ｃ１に記載の方法。
[Ｃ１０]  前記基本シーケンスが定振幅ゼロ自己相関（ＣＡＺＡＣ）シーケンスを備える、Ｃ１に記載の方法。
[Ｃ１１]  前記カバーコードがバイナリカバーコードを備える、Ｃ１に記載の方法。
[Ｃ１２]  前記バイナリカバーコードがアンチポーダルバイナリカバーコードを備える、Ｃ１１に記載の方法。
[Ｃ１３]  前記カバーコードがポリフェーズシーケンスを備える、Ｃ１に記載の方法。
[Ｃ１４]  基本シーケンスの複数のバージョンに適用されるカバーコードを含む同期信号を生成することと、
複数のシンボル期間上でセルの帯域幅の狭帯域部分を使用して前記同期信号を送信することと、ここにおいて、前記基本シーケンスの前記複数のバージョンの各バージョンが、前記複数のシンボル期間のうちのシンボル期間を使用して送信される、
を備えるワイヤレス通信の方法。
[Ｃ１５]  前記セルの前記帯域幅の中心部分を使用して第２の同期信号を送信することをさらに備え、ここにおいて、前記帯域幅の前記中心部分が、前記帯域幅の前記狭帯域部分よりも大きい、
Ｃ１４に記載の方法。
[Ｃ１６]  前記セルの識別情報の指示、複信モード、またはサイクリックプレフィックス（ＣＰ）長のうちの少なくとも１つを備える２次同期信号（ＳＳＳ）を送信すること
をさらに備える、Ｃ１４に記載の方法。
[Ｃ１７]  前記カバーコードがバイナリカバーコードを備える、Ｃ１４に記載の方法。
[Ｃ１８]  前記バイナリカバーコードがアンチポーダルバイナリカバーコードを備える、Ｃ１７に記載の方法。
[Ｃ１９]  前記カバーコードがポリフェーズシーケンスを備える、Ｃ１４に記載の方法。
[Ｃ２０]  前記基本シーケンスが定振幅ゼロ自己相関（ＣＡＺＡＣ）シーケンスを備える、Ｃ１４に記載の方法。
[Ｃ２１]  複数の物理リソースブロック（ＰＲＢ）上で前記同期信号を送信すること
をさらに備える、Ｃ１４に記載の方法。
[Ｃ２２]  複数の同期信号を生成することと、ここにおいて、各同期信号が、前記基本シーケンスの複数のバージョンに適用される複数のカバーコードのうちの１つを含む、
複数の物理リソースブロック（ＰＲＢ）上で前記複数の同期信号を送信することと
をさらに備える、Ｃ１４に記載の方法。
[Ｃ２３]  セルの帯域幅の狭帯域部分を使用して同期信号を受信するための手段と、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出するための手段と、
前記周波数オフセットまたは前記タイミングオフセットのうちの前記少なくとも１つを適用することに少なくとも部分的に基づいて、前記セルの識別情報を決定するための手段と
を備える、ワイヤレス通信のための装置。
[Ｃ２４]  第１のサンプリングレートにおける前記同期信号に対するスライディング自己相関を使用して、第１のタイミングオフセット推定値または第１の周波数オフセット推定値を決定するための手段と、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定するための手段と、
をさらに備え、
ここにおいて、前記周波数オフセットまたは前記タイミングオフセットのうちの前記少なくとも１つを検出するための前記手段が、前記第２のタイミングオフセット推定値または前記第２の周波数オフセット推定値を適用することに少なくとも部分的に基づいて、第２のサンプリングレートにおいて前記同期信号に対して実施された第２の相互相関を使用して、前記周波数オフセットまたは前記タイミングオフセットのうちの前記少なくとも１つを検出する、
Ｃ２３に記載の装置。
[Ｃ２５]  前記同期信号の相関パラメータを再帰的に更新するための手段をさらに備え、ここにおいて、前記スライディング自己相関、前記第１の相互相関、または前記第２の相互相関のうちの少なくとも１つが、前記再帰的に更新された相関パラメータに少なくとも部分的に基づく、Ｃ２４に記載の装置。
[Ｃ２６]  前記カバーコードに少なくとも部分的に基づいて、複数のシーケンス項の第１の値を決定するための手段と、ここにおいて、前記複数のシーケンス項の各シーケンス項が、前記複数のシンボル期間のうちのシンボル期間の間に受信された前記同期信号の一部分に対応する、
前記第１の値と基準シーケンス項とに少なくとも部分的に基づいて、第２の値を決定するための手段と、ここにおいて、前記第１の相互相関または前記第２の相互相関が、前記第２の値に少なくとも部分的に基づく、
をさらに備える、Ｃ２４に記載の装置。
[Ｃ２７]  ２次同期信号（ＳＳＳ）に少なくとも部分的に基づいて、前記セルの前記識別情報を決定するための手段をさらに備え、ここにおいて、前記ＳＳＳが、前記タイミングオフセットまたは前記周波数オフセットのうちの前記少なくとも１つの前記適用することに少なくとも部分的に基づいて、受信された信号中で識別される、
Ｃ２３に記載の装置。
[Ｃ２８]  基本シーケンスの複数のバージョンに適用されるカバーコードを含む同期信号を生成するための手段と、
複数のシンボル期間上でセルの帯域幅の狭帯域部分を使用して前記同期信号を送信するための手段と、ここにおいて、前記基本シーケンスの前記複数のバージョンの各バージョンが、前記複数のシンボル期間のうちのシンボル期間を使用して送信される、
を備える、ワイヤレス通信のための装置。
[Ｃ２９]  送信するための前記手段が、前記セルの前記帯域幅の中心部分を使用して追加の同期信号を送信し、ここにおいて、前記帯域幅の前記中心部分が、前記帯域幅の前記狭帯域部分よりも大きい、Ｃ２８に記載の装置。
[Ｃ３０]  送信するための前記手段が、セル識別情報の指示を備える２次同期信号（ＳＳＳ）を送信する、Ｃ２８に記載の装置。